(57)【要約】  【課題】  簡単な構成で、ディスクのトレイを駆動するギヤに掛かる負荷を低減し、低コストで耐久性に優れたディスクローディング装置を提供する。  【解決手段】  シャーシ１の左右の内側面より、波形状のストッパー１ｃが斜め後方に延びた構成としている。このように、ストッパーを波形状とすることによりトレイのスライド方向に弾性が備わるようにして、トレイが当接したときの衝撃を吸収するようにしている。【選択図】      図１
2006302381.tif 000002
【特許請求の範囲】
【請求項１】
シャーシに沿って摺動自在に引き込み及び押し出しが行われるように構成されたディス
クトレイを有するディスクローディング装置において、
前記ディスクトレイの押し出し位置において前記ディスクトレイと当接し位置決めする
ストッパーを、波形状として前記シャーシとの一体成型により設け、前記波形状により備
わる弾性により、前記ディスクトレイが前記ストッパーに当接したときの衝撃を吸収する
ようにしてなることを特徴とするディスクローディング装置。
【請求項２】
シャーシに沿って摺動自在に引き込み及び押し出しが行われるように構成されたディス
クトレイを有するディスクローディング装置において、
前記ディスクトレイの押し出し位置において前記ディスクトレイと当接し位置決めする
ストッパーを、弾性が備わる所定の形状として前記シャーシに設け、前記弾性により前記
ディスクトレイが前記ストッパーに当接したときの衝撃を吸収するようにしてなることを
特徴とするディスクローディング装置。
【請求項３】
前記所定の形状とは波形状であることを特徴とする請求項２に記載のディスクローディ
ング装置。
【発明の詳細な説明】
【技術分野】
【０００１】
本発明は、ＣＤやＤＶＤ等に代表される光ディスクのような情報記録媒体としてのディ
スクを、ディスク再生装置にローディングするディスクローディング装置に関するもので
ある。
【背景技術】
【０００２】
従来より、このようなディスクローディング装置としては、例えば、ディスク挿入時に
はトレイに載置されたディスクをディスク再生装置へと引き込み、ディスク排出時にはデ
ィスク再生装置からディスクをトレイに再び載置して押し出す方式のものが多く採用され
ている。
【０００３】
図２は、このような従来のディスクローディング装置の基本構成を示す平面図である。
同図（ａ）は装置の基台としてのシャーシ１、同図（ｂ）はディスクが載置されるトレイ
２、同図（ｃ）はトレイを駆動するギヤ３をそれぞれ示しており、何れも主として樹脂成
型品となっている。なお、同図では隠れ線も全て実線で示している。このことは、後述す
る各図においても同様である。
【０００４】
同図（ａ）に示したシャーシ１は、図示しないディスク再生装置が取り付けられる基台
であるとともに、トレイ駆動時の支持台となるものである。そして、シャーシ１の上側前
部で左右の内側面より、枝状のストッパー１ａが斜め後方に延びている。これは、後述す
るように、トレイ２をその押し出し位置で停止させるものである。また、シャーシ１の前
部右側上面では、ギヤ３を回転自在に枢支するボス１ｂが上方に突設している。
【０００５】
同図（ｂ）に示したトレイ２は、これに載置されるディスクを図示しないディスク再生
装置へと挿入し、またここから排出する働きをするものである。そして、トレイ２の上面
には、略円形の枠を有するディスク載置部２ａが設けられており、また下面右側内側面に
は、ギヤ３と噛合するラック部２ｂが前後方向に延在している。さらに、トレイ２の後部
で左右の外側面には、突起部２ｃが突設している。これは、ディスク排出時に上記シャー
シ１のストッパー１ａに当接することにより、トレイ２の押し出し位置を規定する働きを
するものである。なお、突起部２ｃにはトレイ２の内側後方へと傾斜する斜面２ｃａが形
成されている。
【０００６】
同図（ｃ）に示したギヤ３は、トレイ２を前後に駆動する働きをするものである。これ
は、シャーシ１より突設する上記ボス１ｂと嵌合し、これにより回転自在に枢支される。
そして、トレイ２がシャーシ１に組み込まれた状態では、ギヤ３はトレイ２に設けられた
上記ラック部２ｂと噛合しており、図示しないモータの駆動力によりギヤ３が回転すると
、その回転力がラック部２ｂに伝達され、トレイ２が前後に駆動される仕組みである。
【０００７】
図３は、トレイ２及びギヤ３がシャーシ１に組み込まれた状態を示す平面図であり、ト
レイ２が引き込み位置にある様子を示している。また図４は、同じくトレイ２及びギヤ３
がシャーシ１に組み込まれた状態を示す平面図であり、トレイ２が押し出し位置にある様
子を示している。
【０００８】
装置の製造工程において、シャーシ１にトレイ２を組み込む際は、まず、ギヤ３をシャ
ーシ１のボス１ｂに嵌め込んだ状態で、トレイ２の後部をシャーシ１の前部に嵌め込む。
そして、トレイ２をシャーシ１の後方へとスライドさせる。このとき、シャーシ１のスト
ッパー１ａにトレイ２の突起部２ｃが当接するが、突起部２ｃの斜面２ｃａによりストッ
パー１ａが外側へと押し付けられ屈曲させられるので、これによりトレイ２はシャーシ１
にスムーズに嵌め込まれる。さらにトレイ２がスライドして突起部２ｃがストッパー１ａ
を通過すると、ストッパー１ａはその撓み方向の弾性により元の状態に戻る。一方、ギヤ
３はラック部２ｂと噛合してトレイ２と連動する状態となっている。
【０００９】
さて、使用者がディスク再生装置に対してディスクの挿入或いは排出を行う場合、ディ
スクローディング装置により、図３に示したような、トレイ２が引き込み位置にある状態
から、トレイ２を押し出すこととなる。この場合、図示しないモータの駆動力によりギヤ
３を回転させ、その回転力によりラック部２ｂを駆動して、トレイ２を前方へとスライド
させる。
【００１０】
そして最後には、突起部２ｃがストッパー１ａに当接して、図４に示したような、トレ
イ２が押し出し位置にある状態となる。このとき、具体的には突起部２ｃの前面がストッ
パー１ａの先端に当接するので、トレイ２が確実に位置決めされる。
【００１１】
なお、その他の構成のものとして、情報記録媒体再生装置の前面に位置し上下方向にス
ライドする開閉部と、前記開閉部をスライドギアを介して駆動する駆動部と、前記スライ
ドギアの前面に設けられ前記開閉部がスライドする方向に凹凸状の歯を備えた歯部とを備
え、前記開閉部は、上下方向に外部から力が加えられた場合、前記歯部と歯合することに
より前記開閉部のスライドを禁止するストッパー部を備えるものが、特許文献１に開示さ
れている。
【００１２】
また、筐体内シャーシに沿って摺動自在に挿入及び排出される様に成されたディスクト
レイを有するディスクローディング装置に於いて、上記ディスクトレイの挿入又は／及び
排出終端近傍のシャーシに配した制動部材が上記ディスクトレイの動作終了直前から該デ
ィスクトレイに圧接して制動力を掛ける様に成した構成のものが、特許文献２に開示され
ている。
【特許文献１】特開２００３−２５７１１１号公報
【特許文献２】特開平９−２８２７６２号公報
【発明の開示】
【発明が解決しようとする課題】
【００１３】
しかしながら、上記図２〜図４で示したような従来の構成においては、トレイ２が押し
出し位置となったときに、突起部２ｃがストッパー１ａに当接して、トレイ２が急激に停
止するため、トレイ２の移動と連動しているギヤ３に異常な負荷が掛かり、ひいてはこれ
が嵌合しているボス１ｂに無理な応力が掛かって、このボス１ｂが折損するおそれがある
。これについて以下に説明する。
【００１４】
図５は、上記従来例におけるシャーシ１のストッパー１ａの部分拡大図であり、同図（
ａ）が左側、同図（ｂ）が右側を示している。同図に示すように、シャーシ１の左右の内
側面より、枝状のストッパー１ａが斜め後方に延びており、トレイ２がシャーシ１側から
スライドして押し出し位置となったときには、突起部２ｃの前面がこのストッパー１ａの
先端部１ａａに当接する。
【００１５】
このとき、ストッパー１ａはトレイ２とシャーシ１との間で突っ張った状態となり、ス
トッパー１ａが屈曲することは殆どないので、ここでの衝撃を吸収する要素が殆どなくな
る。このため、ストッパー１ａからの反作用はその大部分がトレイ２のラック部２ｂを経
てギヤ３に伝わるので、上述したようにギヤ３に異常な負荷が掛かり、ひいてはこれが嵌
合しているボス１ｂに無理な応力が掛かって、このボス１ｂが折損するおそれがある。
【００１６】
また、上記特許文献１に記載されているような構成では、開閉部が受けた外力を駆動部
に伝達することを防ぐとしているが、開閉部自身の駆動により生じる衝撃を吸収する構成
とはなっておらず、また機構が複雑でコストアップの要因となる。
【００１７】
また、上記特許文献２に記載されているような構成では、ディスク排出及び装着時の衝
撃音を防ぎ、ディスクトレイの跳ね返りが生じない高級感のある動作が可能としているが
、制動部材として板バネ等の余分な部品構成が必要となり、また加わる制動力に見合った
余分な駆動力が必要となるので、結局駆動部の強度も余分に必要となって装置が大掛かり
となり、コストアップの要因となる。
【００１８】
本発明は、以上のような問題点に鑑み、簡単な構成で、ディスクのトレイを駆動するギ
ヤに掛かる負荷を低減し、装置の耐久性を向上させることが可能なディスクローディング
装置を提供することを目的とする。
【課題を解決するための手段】
【００１９】
上記目的を達成するために、本発明では、シャーシに沿って摺動自在に引き込み及び押
し出しが行われるように構成されたディスクトレイを有するディスクローディング装置に
おいて、前記ディスクトレイの押し出し位置において前記ディスクトレイと当接し位置決
めするストッパーを、弾性が備わる所定の形状として前記シャーシに設け、前記弾性によ
り前記ディスクトレイが前記ストッパーに当接したときの衝撃を吸収するようにしてなる
ことを特徴とする。
【００２０】
また、前記所定の形状とは波形状であることを特徴とする。また、前記ストッパーを前
記シャーシとの一体成型により設けたことを特徴とする。
【発明の効果】
【００２１】
本発明によれば、簡単な構成で、ディスクのトレイを駆動するギヤに掛かる負荷を低減
し、低コストで耐久性に優れたディスクローディング装置を提供することができる。
【発明を実施するための最良の形態】
【００２２】
以下、本発明の実施の形態について、図面を参照しながら説明する。なお、本ディスク
ローディング装置の基本構成は、上記図２〜図４で示した従来の構成と同様であり、その
説明を適宜省略する。
【実施例１】
【００２３】
図１は、本発明のディスクローディング装置におけるシャーシのストッパーの部分拡大
図であり、同図（ａ）が左側、同図（ｂ）が右側を示している。同図に示すように、本発
明では、シャーシ１の左右の内側面より、上記従来例で示した枝状のストッパー１ａの代
わりに、波形状のストッパー１ｃが斜め後方に延びた構成としている。このように、スト
ッパーを波形状とすることによりトレイのスライド方向に弾性が備わるようにして、トレ
イが当接したときの衝撃を吸収するようにしている。
【００２４】
具体的には、トレイ２がシャーシ１側からスライドして押し出し位置となったときに、
突起部２ｃの前面がこのストッパー１ｃの先端部１ｃａに当接するが、このとき、ストッ
パー１ｃはその波形状による弾性により縮むので、これによりトレイ２が急激に停止する
ことが防止され、トレイ２とシャーシ１との間での衝撃が吸収される。このため、ストッ
パー１ｃからの反作用は大幅に緩和され、ギヤ３に異常な負荷が掛かることはなくなるの
で、ひいてはボス１ｂが折損するおそれはなくなる。
【００２５】
なお、シャーシ１にトレイ２を組み込む際に、突起部２ｃの斜面２ｃａによりストッパ
ー１ｃが外側へと押し付けられ屈曲させられることは、上述した従来例のストッパー１ａ
の場合と同様であり、これによりトレイ２はシャーシ１にスムーズに嵌め込まれる。また
、突起部２ｃがストッパー１ｃを通過すると、ストッパー１ｃがその撓み方向の弾性によ
り元の状態に戻ることも従来と同様である。
【００２６】
また、ストッパー１ｃはシャーシ１と一体で樹脂成型することができるので、追加部品
を用いることなく即ちコストアップとなることなく、トレイ２とシャーシ１との間での衝
撃が吸収される構成を実現することができる。なお、ストッパー１ｃを波形状とする構成
に限定されるものでは勿論なく、可能であれば螺旋状や渦巻き状等とすることにより、よ
り効果的に衝撃を吸収することができる。さらに、ストッパー１ｃとして別途弾性部材を
インサート成型する構成とすれば、より確実な衝撃吸収が可能となる。
【００２７】
以上説明したように、本発明によれば、簡単な構成で、ディスクのトレイを駆動するギ
ヤに掛かる負荷を低減し、ギヤを回転自在に枢支するボスの折損を防止することが可能な
、低コストで耐久性に優れたディスクローディング装置を提供することができる。
【産業上の利用可能性】
【００２８】
本発明は、ディスクのトレイを有するディスクローディング装置に限らず、特に樹脂成
型部品を用いた様々な駆動部分において、衝撃を吸収する構成として適用可能である。
【図面の簡単な説明】
【００２９】
【図１】本発明のディスクローディング装置におけるストッパーの部分拡大図。
【図２】従来のディスクローディング装置の基本構成を示す平面図。
【図３】トレイ及びギヤがシャーシに組み込まれた状態を示す平面図（引込位置）。
【図４】トレイ及びギヤがシャーシに組み込まれた状態を示す平面図（押出位置）。
【図５】従来例におけるストッパーの部分拡大図。
【符号の説明】
【００３０】
１    シャーシ
１ａ    ストッパー
１ｂ    ボス
１ｃ    ストッパー
２    トレイ
２ａ    ディスク載置部
２ｂ    ラック部
２ｃ    突起部
３    ギヤ
【図１】
2006302381.tif 000003
【図２】
2006302381.tif 000004
【図３】
2006302381.tif 000005
【図４】
2006302381.tif 000006
【図５】
2006302381.tif 000007